(57)【要約】【課題】隣合う横締め用ＰＣ鋼材の接続作業が容易で、張り出し部分の強度を確保することができる道路拡張構造を提供する。【解決手段】プレキャスト床版１１の谷側端部１１Ｔを張り出して拡張する。横締め用ＰＣ鋼材１２を複数のプレキャスト床版１１…の張り出し部分１４Ｈに挿通し、その横締め用ＰＣ鋼材１２の一側端部１２２を定着具２１によりプレキャスト床版１２に定着する。前記定着具２１から延設した一側端部１２２を隣合うプレキャスト床版１１に挿通し、この隣合うプレキャスト床版１１に挿通した一側端部１２２を接続具２５により隣合う横締め用ＰＣ鋼材１２の他側端部１２１に接続する。一側端部１２２は定着具２１から離れた位置で比較的動かし易く、側端部１２１を有する横締め用ＰＣ鋼材１２も定着前であるから動かし易く、両端部１２２，１２１の位置あわせが容易であるから、接続具２５による接続を簡便に行うことができる。【選択図】      図１
2004332456.tif 000002
【特許請求の範囲】
【請求項１】
谷側が傾斜面をなす道路にプレキャスト床版を並設し、横締め用ＰＣ鋼材により道路長さ方向に隣合う複数のプレキャスト床版を緊張一体化すると共に道路長さ方向に隣合う前記横締め用ＰＣ鋼材同士を連結し、前記プレキャスト床版の谷側端部を張り出して拡張する道路拡張構造において、前記横締め用ＰＣ鋼材を前記複数のプレキャスト床版の張り出し部分に挿通すると共に、その横締め用ＰＣ鋼材の一側端部側を定着具により前記プレキャスト床版に定着し、前記定着具から延設した前記一側端部を隣合う少なくとも１つの前記プレキャスト床版に挿通し、この隣合うプレキャスト床版に挿通した一側端部を接続具により道路長さ方向に隣合う前記横締め用ＰＣ鋼材の他側端部に接続したことを特徴とする道路拡張構造。
【請求項２】
前記接続具は両端に前記横締め用ＰＣ鋼材を挿入して固定する挿入固定部を有することを特徴とする請求項１記載の道路拡張構造。
【請求項３】
前記複数のプレキャスト床版の張り出し部分には、道路幅員方向に並んで複数の前記横締め用ＰＣ鋼材を挿通することを特徴とする請求項１又は２記載の道路拡張構造。
【請求項４】
前記道路拡張構造の道路長さ方向端部のプレキャスト床版の谷側を既設道路に支持することを特徴とする請求項１〜３のいずれか１項に記載の道路拡張構造。
【請求項５】
前記道路は山側傾斜面と谷側傾斜面の間に位置し、前記道路の山側に人工構造物を設け、この人工構造物に前記プレキャスト床版の山側端部を上から押える押さえ部を設けたことを特徴とする請求項１〜４のいずれか１項に記載の道路拡張構造。
【請求項６】
前記人工構造物が前記山側傾斜面に設けた擁壁であることを特徴とする請求項５記載の道路拡張構造。
【発明の詳細な説明】
【０００１】
【発明の属する技術分野】
本発明は、谷側が傾斜面をなす道路を谷側に拡張する道路拡張構造に関する。
【０００２】
【従来の技術】
従来、この種の道路の拡張には、図８に示すように、道路１０１の谷側に擁壁１０２を構築し、この擁壁１０２の背面と傾斜面１０３との間に盛土１０４を充填して道路を拡張する構造や、図９に示すように、傾斜面１０３にコンクリート製の下部基礎１０５を形成すると共に、この下部基礎１０５上に支柱１０６を立設し、また、既設の道路１０１の谷側端にコンクリート製の上部基礎１０７を構築し、前記支柱１０６と上部基礎１０７によりコンクリート床版１０８を張り出して支持する構造等が用いられている（例えば特許文献１）。
【０００３】
しかし、上記の盛土１０４を充填する構造では、擁壁１０２の下部の基礎部分１０２Ａが大きくなり、この基礎部分１０２Ａの工事が大掛かりなものになると共に、盛土１０４による土圧も大きくなるため、大型の擁壁１０２が必要となる。
【０００４】
また、上記のコンクリート床版１０８を張り出して支持する構造では、既設の道路１０１の谷側を掘削してここに上部基礎１０７を構築しなければならないため、幅員の狭い道路１では長期間道路を全面通行止めにしないと工事を行うことができない。さらに、水平状態のコンクリート床版１０８を張り出して設けるものであるため、支柱１０６位置より谷側に張り出した部分に加わる荷重に対して十分な強度を得るためには、上部基礎１０７を大きく形成し、この上部基礎１０７にコンクリート床版１０８を強固に連結しなければならない。
【０００５】
一方、道路の山側の傾斜面を削って道路を山側に拡張する方法もあるが、掘削及び発生残土の処理などが煩雑となる。
【０００６】
上記図８及び図９の構造では、谷側の傾斜面における施工が主となり、これに対し、既設の道路側の施工を主とする構造として、既設道路の谷側に、道路進行方向に沿って地中支持体を形成し、山側には道路進行方向に沿って地中にカウンターウエイトを形成し、このカウンターウエイトに端部を固定したコンクリート床版を道路進行方向と交差する方向に設置して中間部を地中支持体によって支え、床版の谷側部分を既設道路から張り出すようにコンクリート床版を連続して並べた道路拡張工法（例えば特許文献２）がある。そして、この特許公報２の道路拡張工法は、道路の大掛かりな掘削が必要となり、また、拡張道路の安定性のためには、カウンターウエートを山側に近づけることが好ましい。
【０００７】
ところで、上記特許公報２に用いられているプレキャストコンクリート床版において強度を向上するため、道路の長さ方向に横締め用ＰＣ鋼材を挿通し、複数のプレキャストコンクリート床版を緊張一体化することが知られており、このような道路拡張構造の一例を図１０に示すと、道路の長さ方向に複数のプレキャストコンクリート床版１１１を並設し、このプレキャストコンクリート床版１１１の道路から張り出した谷側が張り出し部分１１２であり、複数のプレキャストコンクリート床版１１１に横締め用ＰＣ鋼材１１３を挿通し、この横締め用ＰＣ鋼材１１３に緊張力を付与して端部を定着具１１４により定着しており、同図においては、６枚のプレキャストコンクリート床版１１１を一組として緊張一体化を図っている。
【０００８】
【特許文献１】
特開平１０−８８５０４号公報（図６，図７）
【特許文献２】
特開平５−１５６６０１号公報
【０００９】
【発明が解決しようとする課題】
上記のような道路拡張構造において、プレキャストコンクリート床版は、道路部分より張り出し部分における強度を確保する必要があり、ＰＣ鋼材を用いることにより強度の向上が図られるが、先端が自由端となる張り出し部分１１２において、ＰＣ鋼材１１３の両端側部分１１５が隣のコンクリート床版と連結されていないため、他に比べて強度的に弱い構造となり、前記両端側部分１１５に合わせてコンクリート床版を設計すると他の部分まで必要以上に厚くなったり、鉄筋量が増加したりするなどの問題がある。
【００１０】
ところで、ＰＣ鋼材の端部同士を接続する接続具があり、これにより隣合うＰＣ鋼材を接続することができれば、上述した問題を解消することができるが、この種のコンクリート床版において、定着後にＰＣ鋼材の端部に隣合うＰＣ鋼材の端部を正確に合わせて接続具により接続することは寸法精度などの問題から作業が非常に煩雑であり、また、曲線道路などにおいて、両側のＰＣ鋼材の向きが異なる場合などは実際上、接続具による接続は困難であった。
【００１１】
そこで、本発明は、隣合う横締め用ＰＣ鋼材の接続作業が容易で、張り出し部分の強度を確保することができる道路拡張構造を提供することを目的とする。
【００１２】
【課題を解決するための手段】
請求項１の発明は、谷側が傾斜面をなす道路にプレキャスト床版を並設し、横締め用ＰＣ鋼材により道路長さ方向に隣合う複数のプレキャスト床版を緊張一体化すると共に道路長さ方向に隣合う前記横締め用ＰＣ鋼材同士を連結し、前記プレキャスト床版の谷側端部を張り出して拡張する道路拡張構造において、前記横締め用ＰＣ鋼材を前記複数のプレキャスト床版の張り出し部分に挿通すると共に、その横締め用ＰＣ鋼材の一側端部側を定着具により前記プレキャスト床版に定着し、前記定着具から延設した前記一側端部を隣合う少なくとも１つの前記プレキャスト床版に挿通し、この隣合うプレキャスト床版に挿通した一側端部を接続具により道路長さ方向に隣合う前記横締め用ＰＣ鋼材の他側端部に接続したものである。
【００１３】
この請求項１の構成によれば、前記横締め用ＰＣ鋼材を前記複数のプレキャスト床版の張り出し部分に挿通し、そのＰＣ鋼材の端部を定着具により定着し、定着具から延設したＰＣ鋼材の一側端部を隣合うプレキャスト床版に挿通し、その一側端部を隣合う前記横締め用ＰＣ鋼材の他側端部に接続し、この際、前記一側端部は定着具から離れた位置で比較的動かし易く、また、他側端部を有する横締め用ＰＣ鋼材も定着前であるから動かし易く、両端部の位置あわせが容易であるから、接続具による接続を簡便に行うことができる。
【００１４】
また、請求項２の発明は、前記接続具は両端にＰＣ鋼材を挿入して固定する挿入固定部を有するものである。
【００１５】
この請求項２の構成によれば、一側端部と他側端部とを接続具の挿入固定部に挿入して固定することにより、隣合う横締め用ＰＣ鋼材を接続することができる。
【００１６】
また、請求項３の発明は、前記複数のプレキャスト床版の張り出し部分には、道路幅員方向に並んで複数の前記ＰＣ鋼材を挿通するものである。
【００１７】
この請求項３の構成によれば、複数の横締め用ＰＣ鋼材により張り出し部分の強度を向上できる。また、このように複数の横締め用ＰＣ鋼材を有する構造であると、施工時に複数の横締め用ＰＣ鋼材同士を同時に位置合わせする必要があるが、それぞれの一側端部と他側端部を動かすことにより、位置合わせを行うことが可能となる。
【００１８】
また、請求項４の発明は、前記道路拡張構造の道路長さ方向端部のプレキャスト床版の谷側を既設道路に支持するものである。
【００１９】
この請求項４の構成によれば、道路拡張構造の道路長さ方向端部を既設道路により支持したから、この部分のプレキャスト床版の谷側を他の部分より厚くしたり鉄筋量を増やしたりする補強が必要なくなる。
【００２０】
また、請求項５の発明は、前記道路は山側傾斜面と谷側傾斜面の間に位置し、前記道路の山側に人工構造物を設け、この人工構造物に前記プレキャスト床版の山側端部を上から押える押さえ部を設けたものである。
【００２１】
この請求項５の構成によれば、山側に設けた人工構造物により、プレキャスト床版の山側端部が押えられるから、張り出し部分を長くしても、プレキャスト床版の安定化を図ることができる。特に、山側端部の上を押える構造であるから、既設道路の掘削作業などが不要で、山側に近い位置でプレキャスト床版の端部に荷重を加えることができる。
【００２２】
また、請求項６の発明は、前記人工構造物が前記山側傾斜面に設けた擁壁である。
【００２３】
この請求項６の構成によれば、山側傾斜面の擁壁を利用して路面構成部材の山側を押えることにより、プレキャスト床版による安定性した張り出し構造が得られる。
【００２４】
【発明の実施形態】
以下、本発明の実施例を添付図面を参照して説明する。図１〜図７は本発明の第１実施形態を示し、同図に示すように、既設の道路１は、谷側Ｔの下向きの傾斜面２と山側Ｙの上向きの傾斜面３との間に挟まれている。
【００２５】
拡張工事において、前記道路１にプレキャストコンクリート床版であるプレキャスト床版１１を敷設する。このプレキャスト床版１１は道路１の長さ方向に所定幅を有し、道路１の幅員方向にこれより長く形成され、道路１の長さ方向に複数並設され、該コンクリート床版１１の谷側端部１１Ｔを、谷側Ｔに張り出して設けられている。道路１には、コンクリート床版１１の山側端部１１Ｙを支持する基礎４を設け、この基礎４より谷側においてコンクリート床版１１の谷側下面を支持する基礎５を設ける。そして、複数並んだコンクリート床版１１，１１…により路面１４が構成され、それらコンクリート床版１１，１１…の基礎５より谷側が張り出し部分１４Ｈである。
【００２６】
また、道路１の長さ方向に複数並設されたコンクリート床版１１，１１…を道路長さ方向の横締め用ＰＣ鋼材１２により緊張一体化し、前記コンクリート床版１１には前記ＰＣ鋼材１２を挿通する孔１３，１３Ａが穿設されている。また、複数並設されたコンクリート床版１１，１１…には、所定間隔で定着箇所Ｒが設けられている。図２に示すように、コンクリート床版１１には道路１に対応して４つの孔１３，１３，１３，１３が形成され、張り出し部分１４Ｈに対応して３つの孔１３Ａ，１３Ａ，１３Ａが形成されている。
【００２７】
道路１においては、前記孔１３にＰＣ鋼材１２を挿通し、該ＰＣ鋼材１２を緊張して両端をそれぞれ定着具２１，２１により定着して複数のプレキャスト床版１１，１１…を緊張一体化する。尚、この例では、図１に示すように、６枚のプレキャスト床版１１，１１…を緊張一体化している。前記定着具２１を用いる前記定着箇所Ｒには、プレキャスト床版１１の道路長さ方向端面に、上面が開口した凹部１６を形成する。すなわち、定着箇所Ｒに位置するプレキャスト床版１１の端面に凹所１６を形成する。
【００２８】
そして、図３及び図４に示すように、定着具２１は、凹部１６の孔１３位置に配置する定着板２２と、ＰＣ鋼材１２の端部の外周に圧着する楔体２３と、この楔体２３が圧接するテーパ孔２４Ａを有する本体２４とを備え、この本体２４は前記テーパ孔２４Ａに連通する開口部２４Ｂを有する。前記楔体２３は周方向に分割形成されたものであり、テーパ孔２４Ａに食い込むことにより中心の孔が狭まり、ＰＣ鋼材に圧着するものである。
【００２９】
張り出し部分１４Ｈにも同様に定着箇所Ｒに対応するプレキャスト床版１１の道路長さ方向端面に凹部１６を形成し、孔１３Ａに挿通したＰＣ鋼材１２の端部１２１，１２２を前記定着具２１に定着し、そのＰＣ鋼材１２により複数のプレキャスト床版１１…を緊張一体化する。この場合、定着したＰＣ鋼材１２の一側端部１２２側は、定着具２１よりさらにプレキャスト床版１１のほぼ１枚分長く延設されており、その一側端部１２２を隣合うプレキャスト床版１１の孔１３Ａに挿通し、この一側端部１２２を挿通したプレキャスト床版１１の一側端面に凹部１６Ａを形成する。また、この凹部１６Ａの他側に位置するプレキャスト床版１１の他側面にも凹部１６Ｂを形成し、これら凹部１６Ａ，１６Ｂが接続箇所Ｓである。尚、これら凹部１６Ａ，１６Ｂは前記凹部１６と同一構成である。このように、プレキャスト床版１１の張り出し部分１４Ｈにおいては、定着箇所Ｒの一側に位置するプレキャスト床版１１の一側端面に凹部１６を形成し、他側に位置するプレキャスト床版１１の他側端面には必ずしも凹部を設ける必要はなく、他側に位置するプレキャスト床版１１の一側端面に凹部１６Ａを形成し、この凹部１６Ａの他側に位置するプレキャスト床版１１の他側面にも前記凹部１６Ｂを形成し、定着箇所Ｒと異なる位置で一側のプレキャスト床版１１，１１間に接続箇所Ｓを形成する。
【００３０】
前記接続箇所Ｓにおいて、一側のＰＣ鋼材１２の一側端部１２２を前記凹部１６Ａに位置させ、隣合う他側のＰＣ鋼材１２の他側端部１２１を前記凹部１６Ｂに位置させ、それら端部１２２，１２１を接続具２５により接続する。
【００３１】
接続具２５は、図７に示すように、ＰＣ鋼材１２の端部に圧着する一対の前記楔体２３と、一側と他側にそれぞれ前記テーパ孔２４Ａ，２４Ａを有する本体２６とを備え、この本体２６はテーパ孔２４Ａと連通する開口部２４Ｂを有する。また、本体２６は一側部２６Ａと他側部２６Ｂとで別体であって、中央にてナット体２７により連結され、ナット体２７と前記楔体２３との間には、該楔体２３をテーパ孔２４側に付勢する付勢手段たるコイルスプリング２８が配置されており、前記楔体２３がＰＣ鋼材１２を挿入して固定する挿入固定部である。また、開口部２４Ｂには前記コイルスプリング２８の付勢に抗して前記楔体２３を押すことが可能な筒体２９が設けられている。したがって、筒体２９を押した状態で開口部２４ＢからＰＣ鋼材１２の端部を楔体２３内に挿入し、所定寸法挿入後、ＰＣ鋼材１２を引き抜く方向に引張ると、楔体２３がＰＣ鋼材１２に圧着すると共に、コイルスプリング２８の付勢により楔体２３がテーパ孔２４Ａに圧着して、接続具２５に固定される。
【００３２】
そして、図１に示すように、まず、複数のコンクリート床版１１…（この例では６枚）をＰＣ鋼材１２により緊張一体化し、ＰＣ鋼材１２の両端は定着具２１により凹部１６において定着する。但し、張り出し部分１４Ｈにおいては、ＰＣ鋼材１２の一側端部１２２を定着具２１より一側に延設しており、接続箇所Ｓの一側に隣合うプレキャスト床版１１を敷設すると共に、このプレキャスト床版１１の孔１３Ａに一側端部１２２を挿通し、該一側端部１２を凹部１６Ａに位置させ、さらに一側にプレキャスト床版１１を所定数敷設し、これらプレキャスト床版１１に他側のＰＣ鋼材１２を挿通し、このＰＣ鋼材１２の他側端部１２１を凹部１６Ｂに位置させ、それら端部１２１，１２２同士を接続具２５により接続する。この場合、一側端部１２２は凹部１６の定着具２１から離れた位置で比較的自由に位置合わせが可能で、他側端部１２１は緊張前であるから、比較的自由に位置合わせすることができ、どちらの端部１２１，１２２に先に接続具２５を接続しても端部１２１，１２２同士の接続を容易に行うことができる。そして、この接続具２５による接続後、他側のＰＣ鋼材１２を緊張すると共にその一側端部１２１を凹部１６にて定着具２１により定着して凹部１６，１６間において複数のプレキャスト床版１１，１１…を緊張一体化する。この一側のＰＣ鋼材１２の一側端部１２２も定着具２１によりさらに一側に延設し、一側隣りのプレキャスト床版１１に挿通し、その凹部１６Ａにて接続具２５によりその一側のＰＣ鋼材１２と接続する。このようにして、張り出し部分１４Ｈにおいて、複数のプレキャスト床版１１…を緊張するＰＣ鋼材１２，１２同士が接続具２５により連結されている。また、ＰＣ鋼材１２による緊張力が連続し、全体が均一な強度を有する構造となる。尚、図１中の左側は道路拡張構造の端部Ｍであり、ここでは既設の道路１に支持体３０を介してプレキャスト床版１１の谷側を支持することにより、緊張力の連続しない端部Ｍを補強する必要がない。
【００３３】
さらに。前記山側の傾斜面３に人工構造物であるコンクリート製などの擁壁３１を設け、この擁壁３１はその下部たる下面３２の一部が前記コンクリート床版１１の山側端部１１Ｔ上に位置するように接しており、下面３２でコンクリート床版１１に接する部分が押さえ部３３である。
【００３４】
そして、施工手順の一例として、前記コンクリート床版１１を道路１に敷設し、上述したように路面１４を形成し、その山側端部１１Ｙの上に一部が位置するように擁壁３１を形成する。
【００３５】
その場合、前記擁壁３１の高さ、押さえ部２３の道路幅員方向の幅や擁壁３１の上面の道路幅員方向の幅などは、路面１４の張り出し部分１４Ｈの寸法や路面１４に加わる車両の重量により必要サイズに設定できる。
【００３６】
また、前記擁壁３１の上面に、道路長さ方向の排水溝３４を設ける。こうすることにより、擁壁３１の上方から流れ落ちてきた水が排水溝３４により排水され、路面１４に流れることを防止できるため、路面１４の山側Ｙに排水溝を設ける必要がなく、路面１４の幅員を確保することができる。。
【００３７】
前記擁壁３１は、前記該コンクリート床版１１の山側端部１１Ｙの上に擁壁３１を設け、この擁壁３１はコンクリート床版１１の山側端部１１Ｙの上にプレキャストコンクリート製の擁壁本体４２を設け、擁壁本体４２は縦壁部４３と底版部４４とを一体に有する略Ｌ型形状をなし、前記擁壁本体４２と山側傾斜面３との間に埋め戻し材４５を充填し、前記擁壁本体４２と埋め戻し材４５により擁壁３１を構成している。この例では埋め戻し材４５として現場打ちコンクリートを充填したり、土などを充填してもよい。
【００３８】
前記コンクリート床版１１と擁壁３１とを連結することができ、これらの連結に用いる連結手段４６としては、鉄筋やアンカーボルトなどの鋼材，連結金具などを用いることができ、その際、溶接などを用いてもよく、あるいはコンクリート床版１１と擁壁３１とを凹凸嵌合などの嵌め合いにより接合してもよく、各種の接合方法を用いることができ、この例では図２に示すように前記基礎４と床版１１と底版部４４とをアンカーボルトからなる連結手段４６により連結されている。また、基礎５と床版１１とがアンカーボルトからなる連結手段４６Ａにより連結されている。尚、図中５１はプレキャスト床版１１の谷側端部１１Ｔに一体成形された縁ブロック部であり、この縁ブロック部５１に車両用防護柵５２の支柱５３が立設される。また、据え付け後、プレキャスト床版１１…の上面には舗装層６１を設けることができる。
【００３９】
上記のように、谷側Ｔ側の例えば基礎５を支点として、山側に離れた位置でコンクリート床版１１の山側端部１１Ｙを押えるため、てこの原理を最大限活用することができ、山側Ｙに設ける人工構造物たる擁壁３１が小さく軽量なもので済む。また、山側Ｙに設置される擁壁３１は、路面構成部材の山側端部の浮き上がりを防止する押さえ込みの役割を果たすと共に、山側傾斜面３の安定処理を兼用するので、信頼性の高い拡張工事を提供できる。また、山側傾斜面３を流下する水の排水については、擁壁３１の上方にできた平場を効果的に活用することができ、そこに任意の大きさ配置の排水溝３４を無理なく設置することができる。
【００４０】
このように本実施形態では、請求項１に対応して、谷側Ｔが傾斜面をなす道路１にプレキャスト床版１１…を並設し、横締め用ＰＣ鋼材１２により道路長さ方向に隣合う複数のプレキャスト床版１１…を緊張一体化すると共に道路長さ方向に隣合う横締め用ＰＣ鋼材１２，１２同士を連結し、プレキャスト床版１１の谷側端部１１Ｔを張り出して拡張する道路拡張構造において、横締め用ＰＣ鋼材１２を複数のプレキャスト床版１１…の張り出し部分１４Ｈに挿通すると共に、その横締め用ＰＣ鋼材１２の一側端部１２２側を定着具２１によりプレキャスト床版１２に定着し、定着具２１から延設した一側端部１２２を隣合う少なくとも１つのプレキャスト床版１１に挿通し、この隣合うプレキャスト床版１１に挿通した一側端部１２２を接続具２５により道路長さ方向に隣合う横締め用ＰＣ鋼材１２の他側端部１２１に接続したから、横締め用ＰＣ鋼材１２を複数のプレキャスト床版１１…の張り出し部分１４Ｈに挿通し、そのＰＣ鋼材１２の端部１２２を定着具２１により定着し、定着具２１から延設したＰＣ鋼材１２の一側端部１２２を隣合うプレキャスト床版１１に挿通し、その一側端部１２２を隣合う横締め用ＰＣ鋼材１２の他側端部１２１に接続し、この際、前記一側端部１２２は定着具２１から離れた位置で比較的動かし易く、また、他側端部１２１を有する横締め用ＰＣ鋼材１２も定着前であるから動かし易く、両端部１２２，１２１の位置あわせが容易であるから、接続具２５による接続を簡便に行うことができる。
【００４１】
また、このように本実施形態では、請求項２に対応して、接続具２５は両端にＰＣ鋼材１２を挿入して固定する挿入固定部たる楔体２３を有するから、一側端部１２２と他側端部１２１とを接続具２５の楔体２３，２３に挿入して固定することにより、隣合う横締め用ＰＣ鋼材１２を接続することができる。
【００４２】
また、このように本実施形態では、請求項３に対応して、複数の横締め用ＰＣ鋼材１２により張り出し部分１４Ｈの強度を向上できる。また、このように複数の横締め用ＰＣ鋼材１２を有する構造であると、施工時に複数の横締め用ＰＣ鋼材１２，１２同士を同時に位置合わせする必要があるが、それぞれの一側端部１２２と他側端部１２１を動かすことにより、位置合わせを行うことが可能となる。
【００４３】
また、このように本実施形態では、請求項４に対応して、道路拡張構造の道路長さ方向端部を既設の道路１により支持したから、この部分のプレキャスト床版１１の谷側Ｔを他の部分より厚くしたり鉄筋量を増やしたりする補強が必要なくなる。
【００４４】
また、このように本実施形態では、請求項５に対応して、道路１は山側傾斜面３と谷側傾斜面２の間に位置し、道路１の山側Ｙに人工構造物たる擁壁３１を設け、この擁壁３１にプレキャスト床版１１の山側端部１１Ｙを上から押える押さえ部３３を設けたから、山側傾斜面３に設けた擁壁３１により、コンクリート床版１１の山側端部１１Ｙが押えられ、路面１４の張り出し部分１４Ｈを長くしても、コンクリート床版１１の安定化を図ることができる。特に、山側端部１１Ｙの上を押える構造であるから、既設道路１の掘削作業などが不要で、山側Ｙに近い位置でコンクリート床版１１の端部に荷重を加えることができる。
【００４５】
さらに、このように本実施形態では、請求項６に対応して、人工構造物が山側傾斜面３に設けた擁壁３１であるから、山側傾斜面３の擁壁３１を利用してコンクリート床版１１の山側Ｙを押えることにより、コンクリート床版１１による安定性した張り出し構造が得られる。
【００４６】
尚、本発明は上記各実施例に限定されるものではなく、本発明の容易の範囲内において、種々の変形実施が可能である。例えば、請求項５及び６以外では、山に面した道路以外に本願発明の道路拡張構造を設けることができる。また、人工構造物である擁壁を、アンカーボルトなどの連結手段により、山側傾斜面に連結するようにしてもよい。
【００４７】
【発明の効果】
請求項１の発明は、谷側が傾斜面をなす道路にプレキャスト床版を並設し、横締め用ＰＣ鋼材により道路長さ方向に隣合う複数のプレキャスト床版を緊張一体化すると共に道路長さ方向に隣合う前記横締め用ＰＣ鋼材同士を連結し、前記プレキャスト床版の谷側端部を張り出して拡張する道路拡張構造において、前記横締め用ＰＣ鋼材を前記複数のプレキャスト床版の張り出し部分に挿通すると共に、その横締め用ＰＣ鋼材の一側端部側を定着具により前記プレキャスト床版に定着し、前記定着具から延設した前記一側端部を隣合う少なくとも１つの前記プレキャスト床版に挿通し、この隣合うプレキャスト床版に挿通した一側端部を接続具により道路長さ方向に隣合う前記横締め用ＰＣ鋼材の他側端部に接続したものであり、隣合う横締め用ＰＣ鋼材の接続作業が容易で、張り出し部分の強度を確保することができる。
【００４８】
また、請求項２の発明は、前記接続具は両端にＰＣ鋼材を挿入して固定する挿入固定部を有するものであり、隣合う横締め用ＰＣ鋼材の接続作業が容易で、張り出し部分の強度を確保することができる。
【００４９】
また、請求項３の発明は、前記複数のプレキャスト床版の張り出し部分には、道路幅員方向に並んで複数の前記ＰＣ鋼材を挿通するものであり、隣合う横締め用ＰＣ鋼材の接続作業が容易で、張り出し部分の強度を確保することができる。
【００５０】
また、請求項４の発明は、前記道路拡張構造の道路長さ方向端部のプレキャスト床版の谷側を既設道路に支持するものであり、隣合う横締め用ＰＣ鋼材の接続作業が容易で、張り出し部分の強度を確保することができる。
【００５１】
また、請求項５の発明は、前記道路は山側傾斜面と谷側傾斜面の間に位置し、前記道路の山側に人工構造物を設け、この人工構造物に前記プレキャスト床版の山側端部を上から押える押さえ部を設けたものであり、隣合う横締め用ＰＣ鋼材の接続作業が容易で、張り出し部分の強度を確保することができる。
【００５２】
また、請求項６の発明は、前記人工構造物が前記山側傾斜面に設けた擁壁であり、隣合う横締め用ＰＣ鋼材の接続作業が容易で、張り出し部分の強度を確保することができる。
【図面の簡単な説明】
【図１】本発明の一実施形態を示す一部を断面にした道路拡張構造の平面図である。
【図２】同上、道路拡張構造の縦断面図である。
【図３】同上、定着具回りの断面図である。
【図４】同上、図３のＡ−Ａ線矢視図である。
【図５】同上、張り出し部分の定着箇所と接続箇所の断面図である。
【図６】同上、張り出し部分以外の定着箇所の断面図である。
【図７】同上、接続具の断面図である。
【図８】従来例の谷側傾斜面に擁壁を設ける道路拡張構造の断面図である。
【図９】従来例のコンクリート床版を用いた道路拡張構造の断面図である。
【図１０】従来例のコンクリート床版を用いた一部を断面にした他の道路拡張構造の平面図である。
【符号の説明】
１  道路
２  傾斜面（谷側傾斜面）
３  傾斜面（山側傾斜面）
１  道路
２  傾斜面（谷側）
３  傾斜面（山側）
４  基礎（山側）
５  基礎（谷側）
１１  プレキャスト床版（プレキャストコンクリート床版）
１１Ｔ  谷側端部
１１Ｙ  山側端部
１２  横締め用ＰＣ鋼材
１２１    一側端部
１２２    他側端部
１４Ｈ  張り出し部分
２１  定着具
２５  接続具
３１  擁壁（人工構造物）
３３  押さえ部
Ｒ  定着箇所
Ｓ  接続箇所
Ｍ  端部
Ｔ  谷側
Ｙ  山側
【図１】
2004332456.tif 000003
【図２】
2004332456.tif 000004
【図３】
2004332456.tif 000005
【図４】
2004332456.tif 000006
【図５】
2004332456.tif 000007
【図６】
2004332456.tif 000008
【図７】
2004332456.tif 000009
【図８】
2004332456.tif 000010
【図９】
2004332456.tif 000011
【図１０】
2004332456.tif 000012